(57)【要約】  【課題】  、引出し式食器洗い機において、洗いやすすぎ運転途中などに食器の出し入れなどを行う場合でも、ノズルからの水の噴射による水の飛び出しは勿論のこと、上蓋に付着した水の滴下による水漏れも防止する。  【解決手段】  洗浄庫が筐体内に収納され、スライドレバー７３が筐体の前面枠体１ａに係合して洗浄庫の引き出し阻止となった状態で、ソレノイド７４を動作させてスライドレバー７３の降下を阻止し、洗浄庫の引き出し阻止状態をロックして洗浄運転が開始され、操作部から洗浄運転の一時停止の操作指示を受けたとき、洗浄ポンプ等の運転を停止させると共に、スライドレバー７３の降下を可能にすべく、ソレノイド７４を動作させて洗浄庫の引き出し阻止状態のロックを解除する構成である。【選択図】  図１８
2007007457.tif 000002
【特許請求の範囲】
【請求項１】
前面枠体を有し、前面が開口した筐体と、上面開口を有し、前記筐体の前面開口から前方へ引き出し自在とした洗浄庫と、前記筐体内へ前記洗浄庫が収納された時に前記洗浄庫の上面開口を閉塞する上蓋と、前記筐体の前面開口を閉塞するために前記洗浄庫前壁に取り付けられた前面パネルと、該前面パネルの上部に内側に窪ませた、使用者の指先の差し入れ可能な把手部と、該把手部の内側に設けられ前記把手部に使用者の指先が差し入れられたことに伴い回動動作する回動体と、前記筐体内へ前記洗浄庫が収納された時に前記筐体の前面枠体に係合して前記筐体からの前記洗浄庫の引き出しを阻止すると共に、前記筐体の前面枠体から係合が外れる位置まで前記回動体の回動動作に伴って降下することで前記筐体からの前記洗浄庫の引き出しを可能とするスライドレバーと、該スライドレバーの降下を阻止することで前記洗浄庫の引き出し阻止状態をロックし、前記スライドレバーの降下を可能とすることで前記洗浄庫の引き出し阻止状態のロックを解除するロック装置と、前記洗浄庫が前記筐体内に収納されているか否かを検知するドアスイッチと、食器類を収納するために前記洗浄庫の内部に設置された食器籠と、該食器籠に収納した前記食器類の汚れを落とすために前記食器類に洗浄水を噴射させるノズルが複数形成され、前記洗浄庫の底部に回転自在に配置されたアームと、該アームに洗浄水を圧送する洗浄ポンプと、該洗浄ポンプ等の動作を制御して洗い、すすぎ及び乾燥の各行程を実行する制御部と、該制御部に各種設定や指示を与える操作部と、を備え、
前記スライドレバーは、前記洗浄庫が前記筐体内に押し入れられる際に、前記筐体の前面枠体に接触し、その接触による力の一部を受けて降下すると共に、前記筐体の前面枠体を通り過ぎた後、前記洗浄庫が前記筐体から引き出されるのを阻止すべく、再び上昇して前記前面枠体の後ろに係合するものであり、
前記制御部は、前記洗浄庫が前記筐体内に収納され、前記ドアスイッチで前記洗浄庫が前記筐体内に収納されていると検知した後、前記ロック装置を動作させて前記スライドレバーの降下を阻止して前記洗浄庫の引き出し阻止状態をロックし、前記洗浄ポンプ等の運転を開始して洗い、すすぎ及び乾燥の各行程を実行させ、
前記制御部は、前記洗い行程または前記すすぎ行程の途中で前記操作部から一時停止の操作指示を受けたとき、前記洗浄ポンプ等の運転を停止させると共に、前記スライドレバーの降下を可能にすべく、前記ロック装置を動作させて、前記洗浄庫の引き出し阻止状態のロックを解除することを特徴とする食器洗い機。
【請求項２】
前記制御部は、前記洗浄ポンプの動作停止後、所定時間が経過してから前記ロック装置を動作させて前記洗浄庫の引き出し阻止状態のロックを解除することを特徴とする請求項１に記載の食器洗い機。
【発明の詳細な説明】
【技術分野】
【０００１】
本発明は食器洗い機に関し、更に詳しくは、システムキッチンに組み込むためのビルトインタイプに好適な食器洗い機に関する。
【背景技術】
【０００２】
家庭用の食器洗い機は、一般に、洗浄庫内に水道水を導入してその底部に貯留し、そのあとポンプを作動させて貯留した水を吸引してノズルへ送給し、ノズルから勢いよく水を噴射させて洗浄庫内に収容した食器類を洗浄するという構成を有している。従来のこの種の食器洗い機は、筐体の内部に洗浄庫が配設され、筐体の前面には手前下方に回動するドアが設けられ、ドアを開いた状態で洗浄庫内から食器籠を水平前方に引き出す構造となっている。
【０００３】
近年、一般家庭へのシステムキッチンの普及に伴い、システムキッチンに組み込むためのビルトインタイプの食器洗い機が市販されている。すなわち、この種の食器洗い機はいわゆる引出し方式の食器洗い機であって、食器を収納するための食器籠を内装する洗浄庫が前面パネルを兼ねるドアとともに前方に引出し可能に構成されている。洗浄庫を引き出した状態では洗浄庫の上面が広く開口していて上から食器類を出し入れできるようになっており、洗浄庫を筐体に押し入れると筐体内の上部空間に待機していた上蓋が降下して洗浄庫の上面開口を閉塞する構造を有している（例えば、特許文献１参照）。
【０００４】
こうした引出し式の食器洗い機に限らず、従来のドアを手前に回動して開く食器洗い機においても、洗い運転の途中などに食器の出し入れを行う場合、一時停止キーを押した後にすぐにドアが開かれてしまうと、ノズルから噴出した水が洗浄庫の庫外に飛び出して周囲を濡らしてしまったり、水が高温である場合には使用者に掛かって火傷等のおそれがある。そこで、従来より、食器洗い機では、ドアの開放を禁止するラッチ装置の操作レバーがドアに設けられており、洗いやすすぎ運転の途中などに食器の出し入れを行う場合には、一時停止キーを押す→ラッチ装置の操作レバーを操作してラッチを解除する→把手を掴んでドアを開く、といった３段階の動作を必要とし、これによって洗浄ポンプが停止してノズルからの水の噴射が停止するまでの遅延時間を確保するようにしている。
【特許文献１】特開２０００−１３９７９９号公報
【発明の開示】
【発明が解決しようとする課題】
【０００５】
しかしながら、引出し式の食器洗い機では、たとえノズルからの水の噴射が停止したとしても、洗浄庫の上面を閉塞する上蓋の下面にたくさんの水滴が付着しており、洗浄庫を引き出す際にこの水滴が洗浄庫外に落下すると、最終的に機外に流れ出して周囲を濡らしてしまうおそれがある。
【０００６】
本発明は上記のような種々の課題を解決するために成されたものであり、その目的とするところは、引出し式の食器洗い機において、洗いやすすぎ運転の途中などに食器の出し入れなどを行う場合でも、ノズルからの水の噴射による水の飛び出しは勿論のこと、上蓋に付着した水の滴下による水漏れも防止することができる食器洗い機を提供することにある。
【課題を解決するための手段】
【０００７】
上記課題を解決するために成された本発明は、前面枠体を有し、前面が開口した筐体と、上面開口を有し、前記筐体の前面開口から前方へ引き出し自在とした洗浄庫と、前記筐体内へ前記洗浄庫が収納された時に前記洗浄庫の上面開口を閉塞する上蓋と、前記筐体の前面開口を閉塞するために前記洗浄庫前壁に取り付けられた前面パネルと、該前面パネルの上部に内側に窪ませた、使用者の指先の差し入れ可能な把手部と、該把手部の内側に設けられ前記把手部に使用者の指先が差し入れられたことに伴い回動動作する回動体と、前記筐体内へ前記洗浄庫が収納された時に前記筐体の前面枠体に係合して前記筐体からの前記洗浄庫の引き出しを阻止すると共に、前記筐体の前面枠体から係合が外れる位置まで前記回動体の回動動作に伴って降下することで前記筐体からの前記洗浄庫の引き出しを可能とするスライドレバーと、該スライドレバーの降下を阻止することで前記洗浄庫の引き出し阻止状態をロックし、前記スライドレバーの降下を可能とすることで前記洗浄庫の引き出し阻止状態のロックを解除するロック装置と、前記洗浄庫が前記筐体内に収納されているか否かを検知するドアスイッチと、食器類を収納するために前記洗浄庫の内部に設置された食器籠と、該食器籠に収納した前記食器類の汚れを落とすために前記食器類に洗浄水を噴射させるノズルが複数形成され、前記洗浄庫の底部に回転自在に配置されたアームと、該アームに洗浄水を圧送する洗浄ポンプと、該洗浄ポンプ等の動作を制御して洗い、すすぎ及び乾燥の各行程を実行する制御部と、該制御部に各種設定や指示を与える操作部と、を備え、前記スライドレバーは、前記洗浄庫が前記筐体内に押し入れられる際に、前記筐体の前面枠体に接触し、その接触による力の一部を受けて降下すると共に、前記筐体の前面枠体を通り過ぎた後、前記洗浄庫が前記筐体から引き出されるのを阻止すべく、再び上昇して前記前面枠体の後ろに係合するものであり、前記制御部は、前記洗浄庫が前記筐体内に収納され、前記ドアスイッチで前記洗浄庫が前記筐体内に収納されていると検知した後、前記ロック装置を動作させて前記スライドレバーの降下を阻止して前記洗浄庫の引き出し阻止状態をロックし、前記洗浄ポンプ等の運転を開始して洗い、すすぎ及び乾燥の各行程を実行させ、前記制御部は、前記洗い行程または前記すすぎ行程の途中で前記操作部から一時停止の操作指示を受けたとき、前記洗浄ポンプ等の運転を停止させると共に、前記スライドレバーの降下を可能にすべく、前記ロック装置を動作させて、前記洗浄庫の引き出し阻止状態のロックを解除することを特徴としている。
【０００８】
すなわち、従来の食器洗い機には、使用者の手動操作によりドアの開放可能と開放禁止とを選択的に行うようにするためのラッチ手段は備えられていたが、このラッチ手段は、洗浄庫の内部状況や運転状況に拘わらず、使用者がラッチを解除する操作を行いさえすれば何時でもドアの開放が可能であった。それに対し、この本発明に係る食器洗い機におけるロック装置は、洗浄庫の内部状況や運転状況に応じて使用者による洗浄庫の開口の筐体外への開放動作を阻止するものであって、たとえ使用者が洗浄庫の開口の筐体外への開放を行おうとしても、洗浄庫の開口を筐体外へ開放させることはできない。
【０００９】
この発明に係る食器洗い機では、前記制御部は、前記洗浄ポンプの動作停止後、所定時間が経過してから前記ロック装置を動作させて前記洗浄庫の引き出し阻止状態のロックを解除する構成とすることが好ましい。
【発明の効果】
【００１０】
本発明の食器洗い機によれば、例えば、洗浄庫内に設けたノズルから噴射された水が庫外に飛び出すおそれがある場合、或いは、水の漏出の問題はなくとも、それ以外の安全上の配慮等から洗浄庫の開口が筐体外に開放されるのを禁止したほうがよい場合などの状況下では、使用者が洗浄庫の開口を筐体外に開放してしまうことができないようにすることが可能であって、機外への水の漏出や、使用者に水が掛かることを防止することができる。
【発明を実施するための最良の形態】
【００１１】
以下、第１及び第２発明の一実施例による食器洗い機について図面を参照して説明する。まず、図１〜図３により本実施例（以下「第１実施例」という）の食器洗い機の全体構成を説明する。図１及び図２は本食器洗い機の全体構成を示す概略側面断面図であり、図１は洗浄庫を筐体に収納した状態、図２は洗浄庫を筐体から引き出した状態である。また、図３は本食器洗い機の正面外観図である。
【００１２】
前面が開口した筐体１の内部には上面開口３を有する洗浄庫２が配設され、洗浄庫２の内部には食器類を整列するための図示しない食器籠が設置されている。洗浄庫２の前壁２ａには、筐体１の前面開口を閉塞するドアを兼ねた前面パネル４が着脱可能に取り付けられており、前面パネル４と洗浄庫２とは一体に、筐体１の両側壁内側に略水平に設置されたレール５に沿って前方に引き出し自在となっている。
【００１３】
筐体１内の上方空間には、洗浄庫２の上面開口３を閉塞するための上蓋１０が、筐体１の側壁内側に一端が軸支され、他端が上蓋１０の側面に軸支された左右一対の平行リンク１１により揺動自在に支持されている。洗浄庫２が筐体１内に収納された状態では、図１に示すように上蓋１０は洗浄庫２の上面に密着して上面開口３を閉塞し、洗浄庫２が筐体１から前方に引き出された状態では、図２に示すように上蓋１０は前方にせり出しつつ持ち上がった状態で保持される。
【００１４】
洗浄庫２の後方には図示しない給水バルブを備えた伸縮自在の給水ホース９が接続されており、給水バルブが開かれると外部の水道栓等から供給された水が給水ホース９を通して洗浄庫２内に注がれる。洗浄庫２の前部底面には大きく窪んだ貯水槽７が連通して配設されており、洗浄庫２内に注がれた水は貯水槽７に流れ込んで貯留される。この貯水槽７の上部には、食器洗浄時に食器から流れ落ちる食物の残滓を捕集するための図示しないメッシュ状のフィルタが着脱自在に設けられている。洗浄庫２の底部中央には、上面に複数のノズルが形成された回転自在のアーム６が設けられ、洗浄庫２の底面下方には洗浄兼排水ポンプ８が配置されている。洗浄兼排水ポンプ８は両回転方向に回転駆動可能なモータを含み、このモータが正転方向に回転するとき洗浄兼排水ポンプ８は洗浄ポンプとして機能し、逆転方向に回転するとき洗浄兼排水ポンプ８は排水ポンプとして機能する（以下、洗浄ポンプとして機能している場合は「洗浄ポンプ８ａ」、排水ポンプとして機能している場合は「排水ポンプ８ｂ」という）。
【００１５】
図１に示すように洗浄庫２が筐体１内に完全に収納された状態にあって洗浄運転やすすぎ運転時には、図示しない給水バルブが開放されて、給水ホース９を通して洗浄庫２内に水が供給される。洗浄庫２内に供給された水は貯水槽７を含む洗浄庫２の底部に溜まる。この貯留水は洗浄庫２の底部に配設されたヒータ１２により適度に加熱される。この状態で洗浄兼排水ポンプ８が洗浄ポンプとして駆動されると、貯水槽７から吸引された温水がアーム６へと圧送され、ノズルから洗浄庫２内に噴射される。これにより、洗浄庫２内に収容された食器類に水が吹き掛かって汚れが落とされる。食器に付着していた食物の残滓はフィルタに捕集され、水は貯水槽７に流れ込んで再び循環して使用される。
【００１６】
なお、図が煩雑になるため記載を省略しているが、洗浄庫２の前壁２ａと前面パネル４との間には送風ファンなどを含む送風手段と排気手段とが備えられており、乾燥行程時には送風手段により洗浄庫２内に外気が供給されて、その外気はヒータ１２により加熱されて食器に当たり、食器から発する水蒸気を含む空気は排気手段により機外へと排出されるようになっている。
【００１７】
こうした一連の運転は後述するように使用者の操作に応じて行われるが、例えば、洗い運転を開始した直後に食器の追加等を行いたいような場合がある。既に洗い運転が開始されている場合、上述したように洗浄庫２内ではアーム６のノズルから水が勢いよく噴出している状況にあるから、洗浄ポンプ８ａの運転を停止させ水の噴射が確実におさまる前に洗浄庫２が引き出されてしまうと水が機外へと飛び出すことになる。更に、図２に示すように洗浄庫２が引き出された状態では上蓋１０は筐体１の内部に残っているから、洗浄庫２内での水の噴射が停止していたとしても、上蓋１０の下面に多量の水滴が付着していると、この水が庫外に落下して最終的に機外へと漏れ出すおそれがある。
【００１８】
そこで、この第１実施例の食器洗い機では、従来の食器洗い機に一般に備えられている、ドアの開放を禁止するための手動式のラッチ装置２０に加えて、洗浄庫２が引き出されると好ましくない状況にある場合に、上記ラッチ装置２０のラッチの解除を自動的に阻止するロック装置３０を備えている。すなわち、本食器洗い機では、図示するように、前面パネル４の上部は庇状に突出した斜面部４ａを有し、その斜面部４ａの下に内側に窪んだ把手部１３を有しており、この把手部１３には左右に回動可能なラッチ用の操作レバー２１が設けられている。この操作レバー２１の後方の前面パネル４と洗浄庫２の前壁２ａとの間には、使用者による操作レバー２１の操作に連動して洗浄庫２の引き出し動作を阻止する、又はその阻止を解除するためのラッチ装置２０と、電気的な制御によって、使用者が洗浄庫２の引き出し動作の阻止を解除してしまわないように上記操作レバー２１の動作を阻止するロック装置３０とが内蔵されている。なお、前面パネル４の斜面部４ａには、各種の操作キーや表示器を備える操作パネル１４が設けられている。
【００１９】
次いで、ラッチ装置２０及びロック装置３０の構造と動作について、図４〜図１３を参照して説明する。ラッチ装置２０及びロック装置３０は一体に構成されているが、全体としてはロック装置３０はラッチ装置２０の下部に設けられている。
【００２０】
図４〜図６はいずれもラッチ装置２０の詳細構成を示す上面図であり、図４は防滴板を取り付けない状態、図５は防滴板を取り付けた状態、図６は蝶番レバーとラッチレバーとの位置関係を示す図である。図４〜図６では煩雑さを避けるため、ロック装置３０については外枠のみを示している。図７はラッチ装置２０の詳細構成を示す側面断面図である。ラッチ装置２０を構成する主要な部品は、上記操作レバー２１のほか、取付板２２、ラッチレバー２３、蝶番レバー２４、ラッチ用ばね２５、蝶番用ばね２６、防滴板２７等である。
【００２１】
上述したように操作レバー２１の一端は前面パネル４の開口４ｂから機外に突出しており、他端は垂直な軸２２１を中心にして回動自在に取付板２２に固定されている。操作レバー２１とラッチレバー２３とは固定軸２１１で固定されており、両者は一体に軸２２１の周囲に回動可能である。ラッチレバー２３はＬ字形状に起立した係合片２３１を有し、係合片２３１は洗浄庫２の前縁上部２ｂに開口した開口２ｃから上方に突出している。操作レバー２１は下方に延出した下垂片２１２を有し、この下垂片２１２と取付板２２から下に屈曲して延びるばね固定片２２２との間には、コイルばねであるラッチ用ばね２５が張設されている。このラッチ用ばね２５の引張力により、操作レバー２１はその回動可能範囲のほぼ中央から両端側に向かう方向にいずれも付勢されている。
【００２２】
上記構成により、図４に示すような操作レバー２１の左右への回動操作に応じて、ラッチレバー２３の係合片２３１は軸２２１を中心に回動する。なお、操作レバー２１が回動するとき、固定軸２１１は取付板２２に設けられた円弧状の開口部２２３内を移動するから、その開口部２２３の両端がストッパとして作用し、固定軸２１１がその両端部に当接する位置で操作レバー２１及びラッチレバー２３の回動が規制されている。
【００２３】
蝶番レバー２４は軸２４１を中心にして回動自在に取付板２２に取り付けられ、且つ捻りコイルばねである蝶番用ばね２６により当接片２４２が直立する方向（図７では時計回り方向）に付勢されている。この蝶番レバー２４の当接片２４２の後方に位置する、洗浄庫２を形成する壁面の一部である起立壁２ｄには開口２ｅが設けられ、一方、洗浄庫２が筐体１内に収納されたときにその起立壁２ｄと対面する筐体１の前面に取り付けられた前面枠体１ａには、前方に突出するピン１ｂが設けられている。洗浄庫２が筐体１内に完全に収納された状態では、ピン１ｂが開口２ｅに挿入されて蝶番レバー２４の当接片２４２を押圧する。
【００２４】
上述したラッチ装置２０は次のように動作する。洗浄庫２が図２に示すように筐体１から引き出された状態にあるとき、蝶番レバー２４の当接片２４２はピン１ｂにより押されておらず、蝶番用ばね２６により当接片２４２が起立するように付勢されている。当接片２４２が起立した状態にあるとき、蝶番レバー２４の下端の係止片２４３は図６に示す位置Ｌ３でラッチレバー２３に当接しているため、操作レバー２１が位置Ｌ３からラッチ位置Ｌ２の方向へ回動することを阻止する。これにより、洗浄庫２が引き出された状態では使用者が操作レバー２１をラッチ位置Ｌ２の方向へ回そうとしても回すことができず、不所望のラッチ動作が防止できる。
【００２５】
洗浄庫２が引き出された状態から使用者が洗浄庫２を筐体１内へ押し入れると、ラッチレバー２３の係合片２３１は筐体１の前面枠体１ａに開口しているラッチ穴１ｃの幅（図６に示すｄの範囲）の範囲内にあるから、係合片２３１はラッチ穴１ｃに入り込む。洗浄庫２が図１に示すように筐体１に完全に収納された状態にあるときには、図６に示すように係合片２３１はラッチ穴１ｃに一部が入り込んだ位置にある。このとき、蝶番レバー２４の当接片２４２はピン１ｂにより押され、蝶番レバー２４は蝶番用ばね２６による付勢力に抗して軸２４１を中心に回動し、下端の係止片２４３はラッチレバー２３を係止可能な位置から外れる。これにより、洗浄庫２が筐体１内に収納された状態では、使用者が操作レバー２１をラッチ位置へ回すことができるようになる。
【００２６】
使用者が操作レバー２１をラッチ位置（図４中の位置Ｌ２）まで回動させると、ラッチレバー２３の係合片２３１は前面枠体１ａのラッチ穴１ｃの屈曲状の縁端部１ｄの後方へと回り込み、係合片２３１はラッチ穴１ｃから抜けなくなる。これによって前面パネル４（及び洗浄庫２）は開放禁止状態にラッチされ、このラッチを解除しない限り洗浄庫２を前方へ引き出せなくなる。
【００２７】
ところで、洗浄庫２の前縁上部２ｂには開口２ｃが設けられているため、ここから水が下方に落下するとラッチ装置２０やロック装置３０に水が掛かり、故障の原因となる。そこで、図５、図７に示すように、係合片２３１には開口２ｃの下端と軽く接触するように合成樹脂材から成る防滴板２７を嵌挿している。この防滴板２７は周縁に設けた壁部２７１で囲まれる凹部２７３を有し、その壁部２７１は一部で途切れて流下部２７２となっている。すなわち、開口２ｃに水がこぼれた場合、開口２ｃ下端と防滴板２７との僅かな隙間から徐々に水が漏れ出して凹部２７３へ流れ込む。その水の漏出は少量ずつであるため、水は壁部２７１を乗り越えるほどの勢いはない。凹部２７３に流れ込んだ水は流下部２７２から下方へと落下する。この落下位置はラッチ装置２０やロック装置３０よりも内部側になるように決められているため、流下部２７２から水が流下しても何ら影響を受けない。このようにしてラッチ装置２０やロック装置３０の被水を防止している。
【００２８】
また、図６に示すように、操作レバー２１はその回動範囲の端部である位置Ｌ１においてではなく、それよりも中央側の位置Ｌ３にあるときに蝶番レバー２４による回動阻止の係止が作用するように構成されている。そのため、使用者が洗浄庫２を引き出すべくラッチを解除しようとして、操作レバー２１をラッチ位置（つまり図４の位置Ｌ２）から位置Ｌ３にまで回動させると、その時点で（つまり位置Ｌ１に達するよりも前に）、ラッチレバー２３と蝶番レバー２４の係止片２４３との当接によって操作レバー２１は位置Ｌ２方向へ回動不能になる。仮に操作レバー２１が位置Ｌ３にあるときに使用者が洗浄庫２の引き出しを行おうとすると、そのときには係合片２３１は位置Ｌ３’にあり、洗浄庫２を引き出す途中でこの係合片２３１がラッチ穴１ｃの屈曲状の縁端部１ｄに接触し、時計回り方向への力を受ける。そして、操作レバー２１が位置Ｌ３から位置Ｌ１の方向へと移動しつつ、洗浄庫２は前方へと引き出される。
【００２９】
このように、本食器洗い機では、洗浄庫２が引き出されるときには必ず操作レバー２１はラッチ位置Ｌ２方向に回動できないように蝶番レバー２４によって係止されているから、使用者が洗浄庫２を前方に引き出した状態で操作レバー２１をラッチ位置まで回動させてしまうことを防止することができる。他方、操作レバー２１がラッチ位置Ｌ２から位置Ｌ３まで完全に回動されていない中途半端な状態（つまり、上述したように操作レバー２１が蝶番レバー２４によって係止されていない状態）では、洗浄庫２を引き出そうとしても係合片２３１が前面枠体１ａに接触して洗浄庫２の引出しが阻止される。すなわち、洗浄庫２の引出し動作の阻止と蝶番レバー２４による操作レバー２１の回動の阻止とは必ずいずれか一方が行われることになり、それによって上述のように洗浄庫２の引き出し状態でのラッチ動作が確実に防止できる。
【００３０】
図８はロック装置３０の詳細構成を示す上面図、図９はロック装置３０の要部の側面縦断面図、図１０はラッチ検出スイッチの構成を示す上面図、図１１はラッチ検出スイッチの構成を示す側面図、図１２はラッチレバー２３とロック軸３３１との関係を示す上面図、図１３は把手部１３の内側に取り付けられる把手カバーの正面図である。なお、図８〜図１２では、煩雑さを避けるため不要な部品の記載を省略して記載している。
【００３１】
図８、図９に示すように、ロック装置３０は、ソレノイド３２、ハートカム式の駆動機構３３、マイクロスイッチ３４等を含み、これらがそれぞれケース３１内部の所定位置に取り付けられている。ソレノイド３２は外部から通電が行われるとその通電期間だけプランジャ３２１を引き込み、通電が停止するとその引き込みを解除する。ハートカム式の駆動機構３３はプランジャ３２１に連結され、プランジャ３２１が１回引かれる毎にロック軸３３１を図８中の位置Ｌ４と位置Ｌ５との間で交互に進退させる。ロック軸３３１が位置Ｌ４にあるとき、ロック軸３３１は操作レバー２１の回動範囲でその下垂片２１２と干渉しない。したがって、操作レバー２１は自由に回動し得る。一方、操作レバー２１がラッチ位置（図８に示す位置Ｌ２）にあるときにロック軸３３１を位置Ｌ５まで進出させると、ロック軸３３１は操作レバー２１の下垂片２１２に干渉し、操作レバー２１をラッチ解除方向に回動させようとしても下垂片２１２がロック軸３３１に当接して回動が阻止される。このようにして、ソレノイド３２に外部から短時間の通電を行うことによって、操作レバー２１の回動の阻止とその解除とを行うことができる。
【００３２】
マイクロスイッチ３４は、ソレノイド３２及び駆動機構３３と略一直線上であって、ロック軸３３１が位置Ｌ５に進出したときに可動子３４１が押されるように配置されている。したがって、ロック軸３３１が位置Ｌ４、位置Ｌ５のいずれにあるのか、すなわち、操作レバー２１がロックされたか否かの状態をマイクロスイッチ３４の導通又は非導通により検出することができる。
【００３３】
また、ケース３１の底部には操作レバー２１の位置を検出することにより、ラッチ又はラッチの解除を認識するスイッチ機構が設けられている。このスイッチ機構は、図１０、図１１に示すように、マイクロスイッチ３５、板ばね３６、スイッチ取付板３７から成り、スイッチ取付板３７の屈曲自在の当接片３７１に板ばね３６が取り付けられている。操作レバー２１が回動するとき、当接片３７１はちょうど操作レバー２１の垂直部２１４に当接し、これに押されて図１０に示すように屈曲する。すると、板ばね３６がマイクロスイッチ３５の可動片３５２を押圧し、これによって可動子３５１が押される。これによって、操作レバー２１がラッチ位置まで回動されたことをマイクロスイッチ３５の導通又は非導通により検出することができる。
【００３４】
操作レバー２１がラッチ位置から少し戻されたとき、当接片３７１は操作レバー２１の下垂片２１２の動きに連動するから大きな屈曲状態から少し復元する。しかしながら、板ばね３６は当接片３７１の移動を自らの形状を復元させることによって吸収し、可動片３５２へは伝達しない。つまり、操作レバー２１がラッチ位置から少し戻された程度ではマイクロスイッチ３５の可動子３５１は押された状態が維持され、ラッチ状態が維持されていることを正しく認識することができる。
【００３５】
操作レバー２１がラッチ位置まで回動され、上述したようにラッチレバー２３の係合片２３１が前面枠体１ａを係止した状態になっても、これら機構には必ず遊びがあるから、操作レバー２１は回動範囲の一端である位置Ｌ２から位置Ｌ１の方向へ若干戻り得る。その場合でも、本食器洗い機では、上述したように、使用者により操作される操作レバー又はそれと一体に回動する部材が直接スイッチの可動子を押し込むのではなく、弾性（可撓性）を有する部材である板ばね３６を介し、しかも操作レバーがその弾性部材の反発力が作用する位置まで押圧した状態でスイッチの可動子が押されるように構成することにより、仮に操作レバーが最終の押圧位置から戻った場合でもその戻りは弾性部材の撓みや凹み等の復元によって吸収され、スイッチの可動子を押圧する状態は維持される。したがって、上述したような機構の遊びなどの影響を受けることなく、スイッチの閉成又は開成状態を維持し、ラッチ等の状態の検出を正確に行うことができる。
【００３６】
ところで、通常は、操作レバー２１がラッチ位置にあるときにロック軸３３１は位置Ｌ５に進出して操作レバー２１の回動を阻止するようになっているが、何らかの不具合やいたずら等によって操作レバー２１がラッチ解除位置にあるときにロック軸３３１が位置Ｌ５に進出してしまった場合でも、正常な状態に復帰できるように配慮されている。
【００３７】
すなわち、図１２に示すように、操作レバー２１の下垂片２１２がロック軸３３１の左方にある状態で且つロック軸３３１が位置Ｌ５にあるとき、操作レバー２１を反時計回り方向（つまりラッチ方向）に回動させると、下垂片２１２に掛止されているラッチ用ばね２５のフック２５１の円弧部がロック軸３３１に当接し、ロック軸３３１を位置Ｌ４の方向へと押圧する力を与える。すると、そのフック２５１の円弧部（つまり下垂片２１２）の回動に伴ってロック軸３３１は位置Ｌ４の方向に徐々に後退し、所定位置まで後退するとフック２５１の円弧部は図１２でロック軸３３１の上方を左方から右方へと通過する。これにより、そのフック２５１の円弧部からの力を受けなくなったロック軸３３１は再び位置Ｌ５へと戻り、正規の通り、操作レバー２１がラッチ位置にある状態でロック軸３３１は位置Ｌ５、つまり操作レバー２１をロックする位置に来る。
【００３８】
このように、使用者により操作される操作レバー２１と一体に回動する部材であるラッチ用ばね２５のフック２５１が、操作レバー２１がラッチ解除位置からラッチを掛ける方向に移動する際に、ロック手段の一部であるロック軸３３１の移動範囲を横切り、しかも該ロック軸３３１が本来はとり得る筈でないロックを掛ける位置にある場合にはこれに当接して上記移動範囲内でロック軸３３１を一時的に移動させ、操作レバー２１がラッチ位置に到達したときに、該ロック軸３３１は元のロックを掛ける位置に復帰する。これによって、操作レバーがラッチ解除位置にある一方ロック手段がロック位置にあるという異常な状態から、操作レバーがラッチ位置にあってロック手段がロック位置にあるという正常な状態に戻すことができる。このように本食器洗い機では、使用者は特に意識することなしに、ラッチ装置の操作レバー２１を通常通り操作するだけで、ラッチ装置及びロック装置の不自然な状態を解消して正常な状態へ復帰させることができる。
【００３９】
また、本食器洗い機では、ソレノイド３２を電気的に制御することにより操作レバー２１のロック及びロック解除を行うため、例えば、通電が不可能な状況にあるとき或いはソレノイドの故障等によって、ロックが解除できなくなると洗浄庫２の引き出しが行えず、洗浄庫２内部の食器が取り出せなくなるおそれがある。そこで、このような状況に対処するため、手動で操作レバー２１のロック解除が行えるように配慮されている。
【００４０】
すなわち、図１３に示すように把手部１３の内側に取り付けられる把手受部材１５にはその中央に切欠１５１を形成している。把手受部材１５を前面パネル４に取り付けたとき、図９に示すように開口４ｂの上に切欠１５１による大きな開口が形成され、その後方にはロック軸３３１が来るようになっている。そのため、この切欠１５１を通してドライバー等の棒状の工具を挿入しロック軸３３１を強制的に移動させることにより、操作レバー２１のロックを解除することが可能である。なお、この切欠１５１は前面パネル４の斜面部４ａの後方にちょうど隠れるため、通常の使用時には殆ど見えることはなく、外観を損ねることもない。
【００４１】
上記第１実施例では、ソレノイド３２の駆動に応じてロック軸３３１を移動させる駆動機構３３としてハートカムを用いた機構を採用しているが、それ以外の構造でもよい。具体的には、例えば後記第２実施例で用いているダブルノック式の機構でもよい。
【００４２】
次に、この第１実施例の食器洗い機の電気的構成及び特徴的な動作について説明する。図１４は本食器洗い機の要部の電気系構成図である。制御部４０はＣＰＵ、ＲＯＭ、ＲＡＭ、タイマなどを含むマイクロコンピュータを中心に構成されており、ＲＯＭに格納されている制御プログラムに基づいて、洗い、すすぎ及び乾燥の各行程の運転動作等の各種の制御を実行する。制御部４０には、使用者が各種設定や指示を与えるための操作部４２、使用者が設定内容や運転状況をモニタするための表示部４３、使用者の注意を喚起すべきときに鳴動されるブザー４４、上述したように操作レバー２１の動作に連動してオフ又はオンするラッチ検出スイッチ３５、ロック軸３３１の動作に連動してオフ又はオンするロック検出スイッチ３４、いずれも洗浄庫２に連通する水位検知室内に配置され、洗浄庫２内に貯留された水の水位に応じて上下するフロートによってオン又はオフする異常水位検知スイッチ４５及び正常水位検知スイッチ４６、洗浄庫２内の水又は空気の温度を検出する温度センサ４７などが接続されている。また、制御部４０には負荷駆動部４１が接続されており、この負荷駆動部４１を介して洗浄ポンプ８ａ、排水ポンプ８ｂ、ブロアモータ４８、給水バルブ４９、ヒータ１２、上記ソレノイド３２等の動作を制御する。
【００４３】
上記構成を有する食器洗い機では、通常、洗い運転の開始から乾燥運転の終了まで、上述したように操作レバー２１がラッチ状態でロックされるため、洗浄庫２の引き出しが禁止されている。例えば、洗い運転開始後に食器を追加したい場合には、一旦、操作部４２で一時停止キーを操作する必要がある。次に、洗い運転及びすすぎ運転中の洗浄庫２の引き出しに関する処理を図１５のフローチャートに従って説明する。なお、本食器洗い機では、上述したように正確に言えば操作レバー２１をラッチ位置から回動しないようにロックを掛けているが、以下の説明では、このようなロックを慣用的に「ドアロック」と呼ぶこととする。
【００４４】
まず、制御部４０は操作部４２において一時停止キーが押された否かを判定し（ステップＳ１）、一時停止キーが押されていない場合には他の処理を実行する。一方、一時停止キーが押されている場合には、洗浄ポンプ８ａの運転を停止する（ステップＳ２）。洗浄ポンプ８ａの運転が停止するとアーム６への水の圧送が行われなくなり、ノズルからの水の噴射は停止する。そのあと、表示部４３におけるドアロック表示器の点灯表示を点滅表示に変更する（ステップＳ３）と共に、間欠ビープ音を発生するようにブザー４４を駆動する（ステップＳ４）。この表示と音による報知は、ドアロック解除までの待機中であることを使用者に知らせるためのものである。この期間は洗浄ポンプ８ａの動作は停止しているものの、使用者が操作レバー２１を回動させようとしても回動せず、洗浄庫２の引き出しは禁止される。
【００４５】
所定の待機時間が経過するまで上記ステップＳ３、Ｓ４を繰り返し、所定待機時間が経過したならば（ステップＳ５で「Ｙ」）、ソレノイド３２を作動させて操作レバー２１のラッチ状態のロックを解除する（ステップＳ６）。ここで、所定待機時間とは、洗浄運転中に上蓋１０の下面に付着した水滴が充分に落下又は流下して、少なくとも直接滴下しない程度まで収まるまでに要する時間を想定して定められるが、通常は５〜１０秒程度の時間である。ステップＳ６でロック解除のあと、又はほぼ同時に、ドアロック表示器を今度は点滅表示から消灯させ（ステップＳ７）、長いブザー音を１回のみ発生させる（ステップＳ８）。使用者はこれによって洗浄庫２の引き出しが可能になったことを知り、操作レバー２１をラッチ解除状態にして洗浄庫２を引き出すことができる。このときには、上蓋１０の下面には大きな水滴は付着しておらず、庫外に水滴が落ちることはない。
【００４６】
このように上記処理によれば、洗い運転やすすぎ運転中に洗浄庫２を引き出す必要がある場合に、洗浄ポンプ８ａの運転が停止されてノズルから噴射された水が機外へと飛び出さないばかりでなく、上蓋１０の下面に付いた水滴が庫外に落ちて周囲を濡らすことも確実に防止することができる。なお、上記ステップＳ６でドアロックの解除動作を行った後にはロック検出スイッチ３４によりドアロックが解除されたか否かを確認し、ドアロックが解除されていない場合には再度ソレノイド３２を駆動してドアロック解除を試みるようにしている。このような繰り返しを複数回実行し、その結果、ドアロックが解除されないと判断した場合には、異常状態であることを表示やブザー４４で報知するようにしている。
【００４７】
すすぎ行程終了後に実行される乾燥行程では、ノズルから水の噴射は行われないので急に洗浄庫２が引き出されても水が機外に飛び出したり使用者に掛かったりするおそれはない。しかしながら、高温の空気が洗浄庫２内から流れ出して来るおそれはあるため、洗い運転やすすぎ運転時と同様に運転終了までドアロックを掛けた状態を維持する。但し、洗い運転やすすぎ運転時と異なり、上蓋１０の下面に付着している水が充分に落ちるための待機時間を設ける必要はないため、図１５のフローチャート中のステップＳ３〜Ｓ５に相当する処理は行われず、ステップＳ２に相当する処理としてブロアモータ４８の運転停止（ヒータ１２の運転停止を同時に行ってもよい）を行った後に、引き続いてドアロックの解除動作を行う。勿論、ブロアモータ４８の送風ファンの回転速度が確実に落ちるまで待つ等、適宜の時間が経過してからドアロックの解除動作を行ってもよいが、いずれにしても洗い運転やすすぎ運転の際の所定時間よりも短い待機時間で充分である。そのため、使用者が一時停止キーの操作を行ってから長い時間待つことなく洗浄庫２を引き出すことができ、使用者を苛立たせることもない。
【００４８】
更にまた、本食器洗い機では、安全性を高めるために、一旦上述したようなドアロックが掛けられると、たとえ単に一時停止キーが押されても或いは乾燥運転が終了してもドアロックを解除できないようなモードを設定することができるようになっている。このような特殊なモードは操作部４２で操作キーを特殊な（つまり通常では使用しない）押し方を行うことにより設定できるようにしてもよいし、操作部４２とは別に見えにくい位置等に専用のボタンを備えていてもよい。
【００４９】
一旦、この特殊なモードが設定されると、ドアロックが上述したように本来ドアロックを解除すべき操作や動作処理に優先する。したがって、例えば洗い運転中に洗浄庫２を引き出したい場合には、使用者は、一時停止キーを操作するに先立って、又は一時停止キーを操作したあとに特殊なキー操作又は専用ボタンの操作によってこの特殊モードを解除する。この解除が行われない限り、ドアロックは解除されない。乾燥終了時も同様である。こうした特殊なモードを設けることによって、例えば小さい子供が勝手に本食器洗い機を操作してしまって、洗浄庫２を引き出し、中に収容されている食器を取り出す等のいたずらをすることを防止でき、高い安全性を確保することができる。
【００５０】
更にまた、本食器洗い機は、就寝中や外出中にも食器洗いを行えるように、予め定めた時刻又は現時点から所定時間経過したあとに自動的に洗い運転を開始できるような予約運転機能を備えている。この予約運転機能を利用する際には、特徴的な処理が制御部４０により実行される。次に、この処理に関して図２１、図２２を参照して説明する。図２１は本食器洗い機の操作パネル１４における要部の正面図、図２２はこの処理内容を示すフローチャートである。
【００５１】
予約運転を行う場合には、使用者は操作部４２により現時点から何時間後に運転を開始するのかを設定する（ステップＳ１１）。適宜に設定したあと使用者がスタートキー１４ａを押すと（ステップＳ１２）、その時点での予約内容が確定する（ステップＳ１３）。予約が確定する前及び予約が確定直後には、制御部４０は、表示部４３の予約運転が設定されていることを示すＬＥＤ１４ｂ及び運転開始までの残り時間を示すＬＥＤ１４ｃを１／３デューティ比でダイナミック点灯させる。このとき図２１（ａ）に示すようにＬＥＤ１４ｂ、１４ｃは明るく点灯する。
【００５２】
予約確定から５秒が経過すると（ステップＳ１４で「Ｙ」）、制御部４０はダイナミック点灯のデューティ比を更に１／２又は１／４にする（つまり、これにより１／６又は１／１２デューティ比になる）。その結果、図２１（ｂ）に示すようにＬＥＤ１４ｂ、１４ｃは点灯はしているものの、見かけ上の表示の明るさ（輝度）は大きく低下する。勿論、それに伴い消費電力も大きく下がる（ステップ１５）。そのため、たとえ本食器洗い機が暗い部屋に置かれていてもそれほど眩しくはなく、例えばその部屋で使用者が就寝する場合でも就寝を妨げない。また、暗い部屋で通常の使用者であれば表示内容が視認できる程度の輝度は確保されているため、予約運転開始までの残り時間や設定内容を確認することもできる。
【００５３】
しかし、部屋が明るい場合にはコントラストが下がり表示が見にくい等の状況があり得る。その場合には、使用者は予約キー１４ｄを押す（ステップＳ１６）。すると、この操作を受けて、制御部４０は５秒間だけダイナミック点灯のデューティ比を元に戻す（ステップＳ１７、Ｓ１８、Ｓ１９）。これにより、表示は一時的に明るくなるので、明るい部屋内でも又は視力の弱い者でも設定内容が確認できる。そして、運転開始時刻が到来したならば（ステップＳ２０）、所定の運転を開始する（ステップＳ２１）。
【００５４】
なお、食器洗い機では、このような運転開始までの時間が長いと、食器類に付着した汚れが乾燥して非常に落ちにくくなる。そこで、数十分毎に一度、数十秒程度、洗浄運転を実行して、食器類を濡らすような制御を行うことが好ましい。このように長い待機時間をもって間欠的に運転が行われる構成では、表示が完全に消灯した状態であると、その食器洗い機の周囲に予約運転を指示した本人以外の人が居る場合、停止した状態にあると思っていた食器洗い機が急に運転を開始したのを見て故障等の不具合であると誤解する可能性が高い。それに対し、本食器洗い機では、表示の輝度は落とすものの使用者が認識可能な程度に点灯させておくので、その周囲に居る人は予約運転が設定されていることや、少なくとも何らかの運転待機状態にあることを認識することができ、例えば一時的に洗浄運転が行われたのを見ても故障等であると誤解することがない。
【００５５】
また、上記ステップＳ１７〜Ｓ１８では５秒間だけ輝度を上げているが、再び予約キーが押されるまで連続して輝度を上げてもよい。また、予約キー以外のキー操作に対応させてもよい。
【００５６】
次に、第１発明の他の実施例である食器洗い機について図面を参照して説明する。図１６は本実施例（以下「第２実施例」という）の食器洗い機の全体構成を示す概略側面断面図であり、図１７は正面透視図である。上記第１実施例と同一又は相当する構成要素には同一符号を付して説明を省略する。本食器洗い機が上記実施例と相違する主な点は、上蓋１０の上下動機構と洗浄庫２の引き出し機構とである。
【００５７】
すなわち、第２実施例の食器洗い機では、上蓋１０は一端が筐体１の上壁下面に固定された複数のばね６０で略垂直上方向に付勢されており、一方、この上蓋１０を押さえつけるように前後にそれぞれワイヤ６１ａ、６１ｂが設けられている。この２本のワイヤ６１ａ、６１ｂは上蓋１０の側面に突設された滑車６２ａ、６２ｂに巻き掛けられ、一端が筐体１の一方の側壁内側の固定端６３で固定され、他端は筐体１の他方の側壁に沿って水平方向に長い操作杵６４に固着されている。更に、この操作杵６４はその中央付近に固着された共通ワイヤ６５でトルクモータ６６に接続されている。トルクモータ６６が共通ワイヤ６５を牽引すると、操作杵６４を介して２本のワイヤ６１ａ、６１ｂが下方に引かれ、ばね６０の付勢力に抗して上蓋１０を上から押さえ付けるように引き下げる。そして、上蓋１０が洗浄庫２の上面開口３を閉塞する位置で停止する。
【００５８】
洗浄庫２を引き出す際にはそれに先立って、トルクモータ６６は共通ワイヤ６５を弛緩させ、操作杵６４を介して両ワイヤ６１ａ、６１ｂを弛緩させる。すると、ばね６０の付勢力によって上蓋１０は上昇し、弛緩したワイヤ６１ａ、６１ｂが緊張する位置（又はばね６０の圧縮力と上蓋１０の重量が均衡する位置）まで上昇して停止する。すなわち、この第２実施例の食器洗い機では、洗浄庫２の引き出し及び押し入れ動作に機械的に連動してではなく、トルクモータ６６を電気的に制御することによって、洗浄庫２が筐体１から引き出される前に上蓋１０を上昇させ、洗浄庫が筐体１に押し入れられたあとに上蓋１０を降下させる。このような上蓋１０の上下動機構を用いた場合、上蓋１０は殆ど前後動しないので前後方向に上蓋１０が移動するためのスペースを筐体１内に確保する必要がなくなり、その分だけ筐体１の奥行を小さくするか、或いは筐体１のサイズをそのままにして洗浄庫２を広げることが可能となる。
【００５９】
この第２実施例の食器洗い機において、洗浄庫２の引き出し機構に関しては、第１実施例のように操作レバーによる手動のラッチ装置ではなく、洗浄庫２の引き出し及び押し入れ動作のための把手の把持に連動させたラッチ／ロック装置７０を採用している。
【００６０】
図１８はこのラッチ／ロック装置７０の構成を示す側面断面図、図１９はラッチ／ロック装置７０装置を示す上面図、図２０はドア開閉スイッチの構成を示す側面断面図である。
【００６１】
把手部１３の内側には、差し入れられた指を受ける把持部７１２を有する回動体７１が水平軸７１１を中心に回動自在に設けられている。回動体７１は軸７１１を挟んで把持部７１２と反対側に垂直方向に延伸するリブ７１３と、その上部に円柱突部７１４を有している。一方、洗浄庫２の前縁上部２ｂに開口した開口２ｃの下方にはソレノイド取付板７２の一部である案内枠７２１に沿って上下方向に移動可能なスライドレバー７３が設けられており、そのスライドレバー７３の下部の水平なリブ７３３が回動体７１のリブ７１３の上端と円柱突部７１４とで挟み込まれている。これにより、通常状態では、図１８に示すように回動体７１はスライドレバー７３を押し上げて、その上部の係合片７３１は開口２ｃから上方に突出している。洗浄庫２が筐体１内に収納された状態であれば、係合片７３１の前方には筐体１の前面枠体１ａが位置しており、係合片７３１は前面枠体１ａに接触して洗浄庫２の引き出しを阻止している。
【００６２】
なお、図１６に示すように、本食器洗い機は洗浄庫２の後方に設けた弾性体であるばね６７によって前方へと付勢されているため、係合片７３１は前面枠体１ａに押し付けられてがたつくことがない。勿論、このばね６７の代わりに、適宜の箇所に洗浄庫２を前方に付勢する弾性部材を設けるようにしてもよい。例えば、洗浄庫２を前方に引き出すためのレール５やそれに相当する他の箇所に、洗浄庫２を筐体１内に押し込む最終点でその押し込み力に反発するように弾性体を配設しておくとよい。
【００６３】
使用者が把手部１３に指先を差し入れて回動体７１の把持部７１２を押し上げると、回動体７１は軸７１１を中心に図１８で時計回り方向に回動し、円柱突部７１４は水平方向への摺動を伴ってリブ７３３を押し下げ、これによってスライドレバー７３は係合片７３１が筐体１の前面枠体１ａから外れる位置まで降下する。したがって、使用者は洗浄庫２を筐体１内から前方に引き出すことが可能となる。逆に筐体１から引き出された状態にある洗浄庫２を押し入れる際にも同様に把持部７１２を押し上げて係合片７３１を降下させてもよいが、そのまま洗浄庫２を押し入れるようにした場合でも、係合片７３１の後方は図１８に示すように傾斜形状になっているため、筐体１の前面枠体１ａの下縁端に接触するとその接触による力の一部を下方向に受け、スライドレバー７３は自ら降下して前面枠体１ａを通り過ぎると再び上昇して係合片７３１は前面枠体１ａの後方に係合する。
【００６４】
このように、この第２実施例の食器洗い機では、把手部１３に指を差し入れて把持部７１２を持ち上げることが第１実施例における操作レバーをラッチ解除位置に回動させることに相当し、その操作を行わないと洗浄庫２を筐体１から前方に引き出せないようにラッチが掛けられている。
【００６５】
更に、第１実施例における操作レバーのラッチ状態でのロックは、この第２実施例では、回動体７１の軸７１１を中心とする回動を阻止することによって達成される。すなわち、図１９に示すように、ソレノイド７４のプランジャ７４１はいわゆるダブルノック式（カーンノック式）の駆動機構７５に連結されており、これによってソレノイド７４に短時間の通電が行われてプランジャ７４１が引かれる毎に、ストッパ７５１が２つの位置の間で移動するようになっている。なお、ダブルノック方式を利用した駆動機構７５は、本出願人が特願２０００−１７３３４号にて洗濯機用の蓋のロック機構として提案しているものを利用することができる。
【００６６】
図１９に示す位置Ｌ６にストッパ７５１がある場合には、回動体７１の当接片７１５はストッパ７５１に当接しないので回動体７１は回動可能となっている。この状態からソレノイド７４に通電が行われると、ストッパ７５１は回動体７１の当接片７１５に干渉する位置Ｌ７まで移動する。これにより、たとえ使用者が把持部７１２を持ち上げようとしても、回動体７１の当接片７１５がストッパ７５１に当接して回動体７１は充分に回動できなくなる。そのため、係合片７３１は殆ど降下せず、洗浄庫２の引き出しは禁止される。
【００６７】
また、ストッパ７５１が位置Ｌ６にあるときには押圧片７５３はロック検出用のマイクロスイッチ７６の可動子７６１と干渉せず、ストッパ７５１が位置Ｌ７に移動すると同様の距離だけ移動する押圧片７５３が可動子７６１を押し込むので、スイッチ７６の開成又は閉成によってドアロックが行われた状態か又はロックが解除された状態のいずれであるのかを認識することができる。
【００６８】
また、この第２実施例の食器洗い機では、洗浄庫２が筐体１内に収納されていれば（より詳しく言えば、更に使用者が把持部７１２を持ち上げていない状態であれば）、ドアがラッチされていると看做すことができる。そこで、第１実施例で設けられていたラッチ検出スイッチに代えて、洗浄庫２が筐体１に収納されているか否かを検出するためのスイッチを設けている。すなわち、図２０に示すように、洗浄庫２の起立壁２ｄと前面パネル４の斜面部４ａとの間には水平軸７１１を中心に回動自在に回動体７７が設けられている。回動体７７は、起立壁２ｄに設けられた開口２ｅに面する当接面７７２と押圧面７７３とを有し、押圧面７７３の下方にはマイクロスイッチ７８の可動子７８１が位置している。
【００６９】
洗浄庫２が筐体１内に収納されると、筐体１の前面枠体１ａから前方に突出したピン１ｂが開口２ｅに挿通して回動体７７の当接面７７２を押し、回動体７７は図２０で反時計回り方向に回動する。これにより、押圧面７７３はマイクロスイッチ７８の可動子７８１を押し、スイッチ７８は閉成又は開成する。洗浄庫２が筐体１から引き出されると、回動体７７は逆に時計回り方向に回動し、可動子７８１の押圧は解除されてスイッチ７８は開成又は閉成する。このようにしてスイッチ７８は洗浄庫２の引き出し又は押し入れ動作に対応した、いわばドアスイッチとして機能する。
【００７０】
このようにして第２実施例の食器洗い機では、使用者によるドアの把手部の把持動作及びその動作の解除と連動してドアのラッチの解除及びラッチ動作が行われるので、使用者が一々操作レバーを回動する手間が省ける。また、上蓋１０は洗浄庫２の出し入れ動作に連動して該動作力の一部を利用して行われるのではなく、洗浄庫２が筐体１内の所定位置に収納された状態で、駆動手段であるトルクモータ６６の駆動力によって昇降するので、洗浄庫２を出し入れする際に要する力がその分だけ小さくてすみ、この点においても高い操作性を使用者に供することができる。
【００７１】
なお、この第２実施例においても第１実施例と同様のハートカムを用いた駆動機構によってロック動作及びその解除を達成することができる。
【００７２】
また、上記実施例は単に一例であって、本発明の趣旨の範囲で適宜変更や修正を行えることは明らかである。
【図面の簡単な説明】
【００７３】
【図１】第１、第２発明の一実施例（第１実施例）による食器洗い機において洗浄庫を筐体に収納した状態での側面略断面図。
【図２】第１実施例による食器洗い機において洗浄庫を筐体から引き出す際の移動状態を示す側面略断面図。
【図３】第１実施例による食器洗い機の正面外観図。
【図４】第１実施例による食器洗い機における防滴板を取り付けない状態でのラッチ装置の要部の上面図。
【図５】第１実施例による食器洗い機における防滴板を取り付けた状態でのラッチ装置の要部の上面図。
【図６】第１実施例による食器洗い機におけるラッチ装置での蝶番レバーとラッチレバーとの位置関係を示す要部の上面図。
【図７】第１実施例による食器洗い機におけるラッチ装置の詳細構成を示す側面断面図。
【図８】第１実施例による食器洗い機におけるロック装置の詳細構成を示す上面図。
【図９】第１実施例による食器洗い機におけるロック装置の要部の側面縦断面図。
【図１０】第１実施例による食器洗い機におけるラッチ検出スイッチの構成を示す要部の上面図。
【図１１】第１実施例による食器洗い機におけるラッチ検出スイッチの構成を示す要部の側面図。
【図１２】第１実施例による食器洗い機におけるラッチレバーとロック軸との関係を示す要部の上面図。
【図１３】第１実施例による食器洗い機における把手部の内側に取り付けられる把手カバーの正面図。
【図１４】第１実施例による食器洗い機の要部の電気系構成図。
【図１５】第１実施例による食器洗い機において洗浄運転中の洗浄庫の引き出しに関する処理を示すフローチャート。
【図１６】第１発明の他の実施例（第２実施例）による食器洗い機の全体構成を示す概略側面断面図。
【図１７】第２実施例による食器洗い機の正面透視図。
【図１８】第２実施例による食器洗い機におけるラッチ／ロック装置の構成を示す要部の側面断面図。
【図１９】第２実施例による食器洗い機におけるラッチ／ロック装置を示す要部の上面図。
【図２０】第２実施例による食器洗い機におけるドア開閉スイッチの構成を示す要部の側面断面図。
【図２１】第１実施例による食器洗い機における操作パネルの要部の正面図。
【図２２】第１実施例による食器洗い機における予約運転の処理内容を示すフローチャート。
【符号の説明】
【００７４】
１…筐体
１ａ…前面枠体
１ｂ…ピン
１ｃ…ラッチ穴
１ｄ…縁端部
２…洗浄庫
２ａ…前壁
２ｂ…前縁上部
２ｃ、２ｅ…開口
２ｄ…起立壁
３…上面開口
４…前面パネル
４ａ…斜面部
４ｂ…開口
５…レール
８…洗浄兼排水ポンプ
１０…上蓋
１１…平行リンク
１３…把手部
１４…操作パネル
１５…把手受部材
１５１…切欠
２０…ラッチ装置
２１…操作レバー
２１１…固定軸
２１２…下垂片
２１４…垂直部
２２…取付板
２２１…軸
２２２…固定片
２２３…開口部
２３…ラッチレバー
２３１…係合片
２４…蝶番レバー
２４１…軸
２４２…当接片
２４３…係止片
２５…ラッチ用ばね
２５１…フック
２６…蝶番用ばね
２７…防滴板
２７１…壁部
２７２…流下部
２７３…凹部
３０…ロック装置
３１…ケース
３２…ソレノイド
３２１…プランジャ
３３…駆動機構
３３１…ロック軸
３４…ロック検出スイッチ（マイクロスイッチ）
３４１、３５１…可動子
３５…ラッチ検出スイッチ（マイクロスイッチ）
３５２…可動片
３７…スイッチ取付板
３７１…当接片
４０…制御部
４２…操作部
４３…表示部
４４…ブザー
６１ａ、６１ｂ…ワイヤ
６２ａ、６２ｂ…滑車
６３…固定端
６４…操作杵
６５…共通ワイヤ
６６…トルクモータ
７０…ラッチ／ロック装置
７１…回動体
７１１…水平軸
７１２…把持部
７１３…リブ
７１４…円柱突部
７１５…当接片
７２…ソレノイド取付板
７２１…案内枠
７３…スライドレバー
７３１…係合片
７３３…リブ
７４…ソレノイド
７４１…プランジャ
７５…駆動機構
７５１…ストッパ
７５３…押圧片
７６、７８…マイクロスイッチ
７６１、７８１…可動子
７７…回動体
【図１】
2007007457.tif 000003
【図２】
2007007457.tif 000004
【図３】
2007007457.tif 000005
【図４】
2007007457.tif 000006
【図５】
2007007457.tif 000007
【図６】
2007007457.tif 000008
【図７】
2007007457.tif 000009
【図８】
2007007457.tif 000010
【図９】
2007007457.tif 000011
【図１０】
2007007457.tif 000012
【図１１】
2007007457.tif 000013
【図１２】
2007007457.tif 000014
【図１３】
2007007457.tif 000015
【図１４】
2007007457.tif 000016
【図１５】
2007007457.tif 000017
【図１６】
2007007457.tif 000018
【図１７】
2007007457.tif 000019
【図１８】
2007007457.tif 000020
【図１９】
2007007457.tif 000021
【図２０】
2007007457.tif 000022
【図２１】
2007007457.tif 000023
【図２２】
2007007457.tif 000024